(57)【要約】【課題】辞書データ量を削減するとともに、辞書検索の効率化を図る。【解決手段】ＣＰＵ１１は、第１の検索処理において、検索語を入力するための入力画面１３１を表示装置１３に表示させ、この入力画面１３１において、検索語に対応する見出し語とその意味を検索する「見出し検索」メニューと、検索語に対応する成句を検索する「成句検索」メニューとを選択可能に表示させる。入力画面１３１において、「見出し検索」メニューが選択され、入力装置１２から検索語の文字列が入力されると、その文字列に対応する見出し語を辞書ＤＢ１ｄｂから検索し、検索された見出し語の意味データを取得する。そして、検索された見出し語を含む例文データを例文ＤＢ２ｄｂから検索し、検索された例文のデータと、その日本語訳データとを取得する。【選択図】          図１
2004185530.tif 000002
【特許請求の範囲】
【請求項１】
見出し語データと、見出し語の意味データとを対応付けて記憶する辞書データベースを備えた電子辞書装置において、
例文データを記憶する例文記憶手段と、
検索語の文字列を入力する検索語入力手段と、
前記検索語入力手段により入力された検索語に応じた例文データを前記例文記憶手段から検索する例文検索手段と、
前記例文検索手段により検索された例文データを表示する表示手段と、
を備えることを特徴とする電子辞書装置。
【請求項２】
前記表示手段に表示された例文データから検索語を指定する検索語指定手段と、
前記検索語指定手段により指定された検索語に応じた見出し語データを前記辞書データベースから検索し、検索された見出し語データに対応する意味データを取得する見出し語検索手段と、を備え、
前記表示手段は、前記見出し語検索手段により検索された見出し語データ及びその意味データを表示することを特徴とする請求項１に記載の電子辞書装置。
【請求項３】
前記表示手段は、文章データを表示し、
前記検索語指定手段は、前記表示手段に表示された文章データから検索語を指定し、
前記検索語指定手段により指定された検索語を含む文データを前記文章データから抽出し、抽出した文データを例文データとして前記例文記憶手段に記憶させる例文記憶制御手段を備えることを特徴とする請求項２に記載の電子辞書装置。
【請求項４】
辞書サーバに通信ネットワークを介して接続され、
前記例文記憶手段は、前記辞書サーバに備えられることを特徴とする請求項１〜３の何れか一項に記載の電子辞書装置。
【発明の詳細な説明】
【０００１】
【発明の属する技術分野】
本発明は、辞書データベースを備えた電子辞書装置に関する。
【０００２】
【従来の技術】
従来より、辞書データベース（Ｄａｔａ  Ｂａｓｅ；以下、「ＤＢ」という。）を備え、検索語の文字列を入力することにより、検索語に対応する見出し語が辞書ＤＢから検索され、検索された見出し語の意味や、見出し語を用いた例文、成句、発音、解説等の関連情報が表示される電子辞書装置が普及している（例えば、特許文献１参照）
【０００３】
従来の辞書ＤＢのデータ構成は、図１２に示すようなデータ構成であり、各見出し語と、見出し語の意味、例文、例文の日本語訳等の関連情報とが対応付けて記憶されていた。
【０００４】
【特許文献１】
特開平５−１５１２５２号公報（第３−４頁、第１図）
【０００５】
【発明が解決しようとする課題】
しかしながら、上記従来の電子辞書装置においては、以下に示すような問題があった。
（１）検索結果として表示された例文中に、辞書検索したい単語が含まれていた場合、従来の電子辞書装置では、再度、検索メニューを呼び出して検索語の文字列を入力しなければならず、辞書検索の効率が悪かった。
（２）辞書データには、異なる２つの見出し語に対して同一の例文が用いられる場合がある。例えば「ｃａｔｃｈ」、「ｃｏｌｄ」の見出し語に対して、「Ｉ  ｃａｕｇｈｔ  ａ  ｃｏｌｄ  ｌａｓｔ  ｗｅｅｋ」の同一例文が用いられるような場合である。このように同一例文であるにも関わらず、従来の辞書ＤＢでは、見出し語毎に例文データが記憶されるため、重複して同一の例文データが記憶され、辞書ＤＢのデータ量が増大するという問題点があった。
【０００６】
本発明は、辞書データ量を削減するとともに、辞書検索の効率化を図ることを目的とする。
【０００７】
【課題を解決するための手段】
請求項１に記載の発明は、電子辞書装置において、
見出し語データと、見出し語の意味データとを対応付けて記憶する辞書データベースを備えた電子辞書装置において、
例文データを記憶する例文記憶手段と、
検索語の文字列を入力する検索語入力手段と、
前記検索語入力手段により入力された検索語に応じた例文データを前記例文記憶手段から検索する例文検索手段と、
前記例文検索手段により検索された例文データを表示する表示手段と、
を備えることを特徴としている。
【０００８】
この請求項１に記載の発明によれば、辞書データベースとは別に、見出し語の例文データを記憶する例文記憶手段を備えるので、各見出し語の例文データを共通化して、辞書データ量を削減することができる。
【０００９】
【発明の実施の形態】
以下、図を参照して本発明の実施の形態を詳細に説明する。
【００１０】
〈第１の実施の形態〉
まず、構成を説明する。
図１は、本実施の形態における電子辞書装置１０の機能的構成を示すブロック図である。本発明の電子辞書装置１０は、例えばＰＤＡ（Ｐｅｒｓｏｎａｌ  Ｄｉｇｉｔａｌ  Ａｓｓｉｓｔａｎｔ）、パーソナルコンピュータ（Ｐｅｒｓｏｎａｌ  Ｃｏｍｐｕｔｅｒ；以下「ＰＣ」という。）、ノート型ＰＣ、携帯型辞書端末などのような情報処理装置によって実現することができる。電子辞書装置１０は、ＣＰＵ（Ｃｅｎｔｒａｌ  Ｐｒｏｃｅｓｓｉｎｇ  Ｕｎｉｔ）１１、入力装置１２、表示装置１３、ＲＡＭ（Ｒａｎｄｏｍ  Ａｃｃｅｓｓ  Ｍｅｍｏｒｙ）１４、記憶装置１５、辞書ＤＢ１ｄｂ、例文ＤＢ２ｄｂから構成され、各部はバス１７により接続される。
【００１１】
ＣＰＵ１１は、記憶装置１５に記憶されている各種制御プログラムを読み出してＲＡＭ１４に展開し、当該制御プログラムに従って電子辞書装置１０の各部を集中制御する。本第１の実施の形態において、ＣＰＵ１１は、記憶装置１５に記憶されている第１の検索処理プログラムを読み出して後述する第１の検索処理（図４参照）を実行することにより、例文検索、見出し語検索を行う。
【００１２】
ＣＰＵ１１は、第１の検索処理において、検索語を入力するための入力画面１３１（図５参照）を表示装置１３に表示させ、この入力画面１３１において、検索語に対応する見出し語とその意味を検索する「見出し検索」メニューと、検索語に対応する成句を検索する「成句検索」メニューとを選択可能に表示させる。入力画面１３１において、「見出し検索」メニューが選択され、入力装置１２から検索語の文字列が入力されると、その文字列に対応する見出し語を辞書ＤＢ１ｄｂから検索し、検索された見出し語の意味データを取得する。そして、検索された見出し語を含む例文データを例文ＤＢ２ｄｂから検索し、例文データと、その日本語訳データとを取得する。
【００１３】
ＣＰＵ１１は、検索により取得した見出し語の意味データ、例文データ、日本語訳データを表示する検索結果画面１３２（図６参照）を表示装置１３に表示させる。この検索結果画面１３２における例文データ中の単語を検索語として入力装置１２から指定されると、ＣＰＵ１１は、指定された検索語に対応する見出し語の意味データ、例文データ、例文の日本語訳データを辞書ＤＢ１ｄｂ、例文ＤＢ２ｄｂから検索する。そして、検索により取得された各データを表示する検索結果画面１３３（図７参照）を表示装置１３に表示させる。
【００１４】
入力装置１２は、検索語の文字列を入力するための文字入力キー、検索語を指定するためのカーソルキー、その他数字キーや各種機能キー等を備えて構成される。入力装置１２は、押下されたキーに対応する押下信号をＣＰＵ１１に出力する。なお、必要に応じてマウス、タッチパネル、タッチペン等のポインティングディバイスや、その他の入力装置を備えることとしてもよい。
【００１５】
表示装置１３は、ＬＣＤ（Ｌｉｑｕｉｄ  Ｃｒｙｓｔａｌ  Ｄｉｓｐｌａｙ）等の表示画面を備えて構成され、見出し語に対応する意味データや例文データ等の辞書検索結果や、編集中の文章データ等を表示する。
【００１６】
ＲＡＭ１４は、ＣＰＵ１１によって実行される各種プログラムやこれらプログラムによって処理されたデータ等を一時的に記憶するワークエリアを形成する。
【００１７】
記憶装置１５は、記憶媒体（図示せず）を有しており、この記憶媒体に、各種制御プログラムや、第１の検索処理プログラム等の各種処理プログラム、処理プログラムで処理されたデータ等を記憶する。この記憶媒体は、磁気的、光学的記憶媒体、若しくは半導体メモリ等で構成されており、記憶装置１５に固定的に設けられるもの、若しくは着脱自在に装着するものである。
【００１８】
辞書ＤＢ１ｄｂは、図２にそのデータ構成を示すように、見出し語（例えば、「ｃａｔｃｈ」、「ｃｏｌｄ」等）と、見出し語の意味（例えば、「取る、つかむ・・・」等）と、の各データを対応付けて記憶している。本実施の形態では、見出し語は、基本形（例えば“ｃａｔｃｈ”）から語形変化したもの（例えば“ｃａｕｇｈｔ”等）も基本形と同じ見出し語として扱うこととする。
【００１９】
なお、辞書ＤＢ１ｄｂは、上述した見出し語の意味に限らず、見出し語の品詞、発音、見出し語を用いた成句等、その他の関連情報のデータを併せて記憶していることとしてもよい。また、辞書として英和辞書を用いた例を説明するが、和英、国語、漢和等の他の辞書であってもよく、特に辞書の種類は限定しない。
【００２０】
例文ＤＢ２ｄｂは、例文記憶手段である。例文ＤＢ２ｄｂは、図３にそのデータ構成を示すように、辞書ＤＢ１ｄｂに記憶されている見出し語を用いた例文（例えば、「Ｉ  ｃａｕｇｈｔ  ａ  ｃｏｌｄ・・・」等）と、その例文の日本語訳（例えば、「私は先週風邪をひいた」等）と、の各データを対応付けて記憶している。
【００２１】
次に、本第１の実施の形態の動作を説明する。
図４は、ＣＰＵ１１により実行される第１の検索処理を説明するフローチャートである。
図４に示すフローチャートに記述されている各機能を実現するためのプログラムは、コンピュータが読み取り可能なプログラムコードの形態で記憶装置１５に記憶されており、ＣＰＵ１１は、当該プログラムコードに従った動作を逐次実行する。また、ＣＰＵ１１は、伝送媒体を介して伝送される上記プログラムコードに従った動作を逐次実行することも可能である。すわなち、記憶装置１５の他、伝送媒体を介して外部供給されたプログラム又はデータを利用して本第１の実施の形態特有の動作を実行することも可能である。
【００２２】
図４において、ＣＰＵ１１は、図５に示すような、検索語を入力するための入力画面１３１を表示装置１３に表示させる。この入力画面１３１において、ＣＰＵ１１は、「見出し検索」メニューと、「成句検索」メニューと、を選択可能に表示させ、メニュー毎に検索語入力領域を表示させる。
【００２３】
入力画面１３１の「見出し検索」メニューの検索語入力領域に、入力装置１２から検索語の文字列が入力され（ステップＳ１）、検索開始の指示が入力されると（ステップＳ２；ＹＥＳ）、ＣＰＵ１１は、入力された検索語に応じた見出し語を辞書ＤＢ１ｄｂから検索し（ステップＳ３）、検索された見出し語の意味データを辞書ＤＢ１ｄｂから取得する。例えば、検索語として「ｃａｔｃｈ」が入力されると、見出し語「ｃａｔｃｈ」を検索して、その意味データ「取る、つかむ・・・」を取得する。
【００２４】
次にＣＰＵ１１は、検索された見出し語を含む例文データを例文ＤＢ２ｄｂから検索し（ステップＳ４）、検索された例文データとその日本語訳データとを取得する。上述した例で説明すると、検索された見出し語「ｃａｔｃｈ」を含む例文データ「Ｉ  ｃａｕｇｈｔ  ａ  ｃｏｌｄ  ｌａｓｔ  ｗｅｅｋ」を取得する。
【００２５】
ＣＰＵ１１は、図６に示すような検索結果画面１３２を表示装置１３に表示させ、この検索結果画面１３２において、検索により取得した見出し語の意味データ、例文データ、例文の日本語訳データを表示させる。また、例文に含まれる何れかの単語を検索語として指定するためのカーソルＣを表示させる。このカーソルＣは、入力装置１２により操作可能とする。ここで、入力装置１２から別の検索語を入力する指示が入力されると（ステップＳ６；ＹＥＳ）、ステップＳ１に戻る。
【００２６】
検索結果画面１３２において、例文に含まれる何れかの単語がカーソルＣにより指定され、指定された単語を検索語として検索を開始するよう入力装置１２から指示された場合（ステップＳ７；ＹＥＳ）、ステップＳ３に戻り、指定された検索語に応じた見出し語の意味データ、例文データの検索を行い、その新たな検索結果を表示装置１３に表示させる。例えば、検索結果画面１３２に表示された「Ｉ  ｃａｕｇｈｔ  ａ  ｃｏｌｄ  ｌａｓｔ  ｗｅｅｋ」の例文データ中から検索語として「ｃｏｌｄ」が指定された場合、辞書ＤＢ１ｄｂから検索語に対応する見出し語「ｃｏｌｄ」が検索され、例文ＤＢ２ｄｂから見出し語「ｃｏｌｄ」を含む例文データが検索される。そして、検索により取得した、意味データや例文データなどの各データを、図７に示すような検索結果画面１３３によって表示装置１３に表示させる。
【００２７】
検索結果画面１３２又は検索結果画面１３３において、入力装置１２から検索終了の指示が入力された場合（ステップＳ８；ＹＥＳ）、第１の検索処理を終了し、検索終了の指示が入力されない場合は、ステップＳ６に戻る。
【００２８】
以上のように、第１の実施の形態においては、見出し語データとその意味データとを対応付けて記憶する辞書ＤＢ１ｄｂとは別に、見出し語の例文データを記憶する例文ＤＢ２ｄｂを備えるので、各見出し語の例文データを共通化して、辞書データ量を削減することができる。
【００２９】
また、検索結果として表示された例文に含まれる単語を検索語として指定することができるので、検索結果の例文に辞書検索したい単語が含まれている場合に、連続してその単語の辞書検索を行うことができ、効率的な辞書検索が可能となる。
【００３０】
〈第２の実施の形態〉
第２の実施の形態では、電子辞書装置を、通信ネットワークを介して辞書サーバに接続した例を説明する。
まず、構成を説明する。
【００３１】
図８に、第２の実施の形態における辞書検索システム１００の全体構成を示す。
図８において、辞書検索システム１００は、電子辞書装置２０ａ〜２０ｃと、辞書サーバ５０と、が通信ネットワークＮを介して相互にデータの送受信が可能に構成されている。本第２の実施の形態においては、３台の電子辞書装置、１台の辞書サーバが通信ネットワークＮに接続されているとして説明するが、その台数や設置個所は特に限定しない。
【００３２】
辞書サーバ５０は、辞書ＤＢ１ｄｂ、例文記憶手段である例文ＤＢ２ｄｂを備える。辞書ＤＢ１ｄｂ、例文ＤＢ２ｄｂは、第１の実施の形態における辞書ＤＢ１ｄｂ、例文ＤＢ２ｄｂと同一であるので、同一の符号を付して、そのデータ構成例の図示及び説明を省略する。
【００３３】
通信ネットワークＮは、各種通信回線を適用可能であり、ＬＡＮ（Ｌｏｃａｌ  ＡｒｅａＮｅｔｗｏｒｋ）やＷＡＮ（Ｗｉｄｅ  Ａｒｅａ  Ｎｅｔｗｏｒｋ）、インターネット等の様々な回線形態を適用することが可能である。
【００３４】
次に、電子辞書装置２０ａ〜２０ｃについて説明する。電子辞書装置２０ａ〜２０ｃは、例えばＰＤＡ（Ｐｅｒｓｏｎａｌ  Ｄｉｇｉｔａｌ  Ａｓｓｉｓｔａｎｔ）、パーソナルコンピュータ（Ｐｅｒｓｏｎａｌ  Ｃｏｍｐｕｔｅｒ；以下「ＰＣ」という。）、ノート型ＰＣ、携帯型辞書端末などのような情報処理装置を用いることができる。これらの装置は、その外観は異なるが本発明の実施にあたってのその機能的構成及び動作は同一であるので、以下、電子辞書装置２０ａを代表としてその構成及び動作を説明する。
【００３５】
図９に、電子辞書装置２０ａの機能的構成を示す。図９においては、上記第１の実施の形態で図１に示した電子辞書装置１０の機能的構成と同一部分には同一の符号を付し、その構成説明を省略する。
図９において、電子辞書装置２０ａは、ＣＰＵ２１、入力装置１２、表示装置１３、ＲＡＭ１４、記憶装置２５、通信装置２６から構成され、各部はバス１７により接続される。
【００３６】
ＣＰＵ２１は、記憶装置２５に記憶されている各種制御プログラムを読み出してＲＡＭ１４に展開し、当該制御プログラムに従って電子辞書装置１０の各部を集中制御する。本第２の実施の形態において、ＣＰＵ２１は、記憶装置２５に記憶されている第２の検索処理プログラムを読み出して後述する第２の検索処理（図１０参照）を実行し、例文検索、見出し語検索、例文記憶制御を行う。
【００３７】
ＣＰＵ２１は、第２の検索処理において、表示するよう指示された文章データを表示する文章画面１３４（図１１参照）を表示装置１３に表示させる。文章画面１３４において文章中の何れかの単語が検索語として入力装置１２により指定され、辞書検索の指示がなされると、ＣＰＵ２１は、この文章画面１３４に表示されている文章中の、現に指定された検索語を含む一文を抽出し、その文を後の処理で新しい例文として例文ＤＢ２ｄｂに追加するために、その文データをＲＡＭ１４に一時記憶させる。ＣＰＵ２１は、指定された検索語に対応する見出し語の意味と例文の検索を要求する要求情報を辞書サーバ５０に送信するよう通信装置１６に指示する。
【００３８】
ＣＰＵ２１は、通信装置１６を介して辞書サーバ５０から、検索語に対応する見出し語の意味データ、例文データ、例文の日本語訳データを検索結果として受信すると、ＲＡＭ１４に一時記憶させた文データを読み出して、読み出した文データを例文データとして追加するよう要求する要求情報を出力し、この要求情報と文データとを辞書サーバ５０に送信するよう通信装置１６に指示する。そして、ＣＰＵ２１は、検索結果として受信した各データを表示する検索結果画面１３２（図６参照）を表示装置１３に表示させる。この検索結果画面１３２における例文中から、入力装置１２を介して検索語が指定されると、ＣＰＵ２１は、指定された検索語に対応する見出し語の意味と、例文との検索を辞書サーバ５０に要求する。
【００３９】
記憶装置２５は、記憶媒体（図示せず）を有しており、この記憶媒体に、各種制御プログラムや、第２の検索処理プログラム等の各種処理プログラム、処理プログラムで処理されたデータ等を記憶する。この記憶媒体は、磁気的、光学的記憶媒体、若しくは半導体メモリで構成されており、記憶装置２５に固定的に設けられるもの、若しくは着脱自在に装着するものである。
【００４０】
通信装置２６は、モデムやターミナルアダプタ等から構成され、通信ネットワークＮを介して辞書サーバ５０と通信を行う。第２の検索処理において、通信装置２６は、ＣＰＵ１１により送信指示された検索の要求情報や、例文データ等を辞書サーバ５０に送信する。
【００４１】
次に、本第２の実施の形態における動作を説明する。
図１０は、電子辞書装置２０ａのＣＰＵ２１と、辞書サーバ５０とにより実行される第２の検索処理を説明するフローチャートである。
図１０に示すフローチャートに記述されている各機能を実現するためのプログラムは、コンピュータが読み取り可能なプログラムコードの形態で電子辞書装置２０ａの記憶装置２５及び辞書サーバ５０に記憶されており、ＣＰＵ２１、辞書サーバ５０は、当該プログラムコードに従った動作を逐次実行する。また、ＣＰＵ２１、辞書サーバ５０は、伝送媒体を介して伝送される上記プログラムコードに従った動作を逐次実行することも可能である。すわなち、伝送媒体を介して外部供給されたプログラム又はデータを利用して本第２の実施の形態特有の動作を実行することも可能である。
【００４２】
図１０において、ＣＰＵ２１は、ユーザから表示指示された文章データを表示する、図１３に示すような文章画面１３４を表示装置１３に表示させる（ステップＳ１０１）。この文章画面１３４において、ＣＰＵ２１は、例文に含まれているいずれかの単語を検索後として指定するためのカーソルＣを画面上に表示させる。このカーソルＣは、入力装置１２により操作可能とする。
【００４３】
文章画面１３４において、カーソルＣにより検索語が指定されると（ステップＳ１０２）、ＣＰＵ２１は、この文章画面１３４に表示されている文章中の、現に指定された検索語を含む一文を抽出し、その文を後の処理で新しい例文として例文ＤＢ２ｄｂに追加するために、抽出した文のデータをＲＡＭ１４に一時記憶させる（ステップＳ１０３）。例えば、文章画面１３４において、検索語「ｃａｕｇｈｔ」が指定されると、指定された検索語を含む文「Ｉ  ｃａｕｇｈｔ  ｍｙ  ｓｏｎ  ｇｏｉｎｇ  ａｗａｙ」を抽出し、その文データをＲＡＭ１４に記憶させる。
【００４４】
ＣＰＵ２１は、指定された検索語に対応する見出し語の意味及び例文の検索を要求する要求情報を出力し、通信装置２６は、この要求情報を辞書サーバ５０に送信する（ステップＳ１０４）。
【００４５】
辞書サーバ５０は、電子辞書装置２０ａ〜２０ｃの何れかから検索の要求情報を受信したか否かを判別する。以下、電子辞書装置２０ａから要求情報を受信した場合を例として説明するが、他の電子辞書装置から受信した際も同様の処理を行う。
【００４６】
辞書サーバ５０は、電子辞書装置２０ａから検索の要求情報を受信すると、検索要求された検索語に対応する見出し語を辞書ＤＢ１ｄｂから検索し、検索された見出し語の意味データを取得する（ステップＳ１０５）。そして、検索された見出し語を含む例文データを例文ＤＢ２ｄｂから検索し、検索された例文データとその日本語訳データとを取得する（ステップＳ１０６）。
【００４７】
辞書サーバ５０は、検索により取得した見出し語の意味データ、例文データ及びその日本語訳データを検索結果として電子辞書装置２０ａに送信する（ステップＳ１０７）。
【００４８】
電子辞書装置２０ａのＣＰＵ２１は、辞書サーバ５０から検索結果を受信すると、ＲＡＭ１４に一時記憶させておいた文データを読み出し、この文データを新たな例文データとして例文ＤＢ２ｄｂに追加するよう要求する要求情報を出力する。通信装置２６は、例文データと要求情報とを辞書サーバ５０に送信する（ステップＳ１０８）。
【００４９】
辞書サーバ５０は、電子辞書装置２０ａから例文データ及び要求情報を受信すると、受信した例文データを例文ＤＢ２ｄｂに追加して記憶させる（ステップＳ１０９）。なお、この際に、重複した例文を登録することを避けるために、辞書サーバ５０で、電子辞書装置２０ａから送られてきた例文データと同じ例文が既に例文ＤＢ２ｄｂに登録されていないかどうかチェックし、同じ例文が登録されていない場合にのみ電子辞書装置２０ａから送られてきた例文データを追加することとしても良い。このようにすることで、不要な重複例文が記憶されるのを防ぐことができ、例文ＤＢ２ｄｂの記憶容量を節約することができる。
【００５０】
ＣＰＵ２１は、例文データを辞書サーバ５０に送信後、辞書サーバ５０から受信した検索結果に基づいて、図６に示すような検索結果画面１３２を構成し、表示装置１３に表示させる（ステップＳ１１０）。ＣＰＵ２１は、検索結果画面１３２において、辞書サーバから受信した見出し語の意味データ、例文データ、例文の日本語訳データを表示させる。また、例文に含まれる何れかの単語を検索語として指定するためのカーソルＣを表示させる。検索結果画面１３２において、別の検索語を指定する指示が入力装置１２から入力されると（ステップＳ１１１；ＹＥＳ）、ステップＳ１０１に戻って、文章画面１３４を表示する。
【００５１】
ＣＰＵ１１は、検索結果画面１３２において、検索結果の例文から検索語がカーソルＣにより指定され、指定された検索語の検索開始を入力装置１２から指示された場合（ステップＳ１１２；ＹＥＳ）、ステップＳ１０４に戻り、指定された検索語に対応する見出し語及び例文の検索を辞書サーバ５０に要求する。
【００５２】
ＣＰＵ１１は、検索結果画面１３２において、検索終了の指示が入力装置１２から入力された場合（ステップＳ１１３；ＹＥＳ）、第２の検索処理を終了し、検索終了の指示が入力されない場合は、ステップＳ１１１に戻る。
【００５３】
以上のように、第２の実施の形態においては、見出し語データとその意味データとを対応付けて記憶する辞書ＤＢ１ｄｂとは別に、見出し語の例文データを記憶する例文ＤＢ２ｄｂを備えるので、各見出し語の例文データを共通化して、辞書データ量を削減することができる。
【００５４】
また、辞書サーバが辞書ＤＢ１ｄｂと例文ＤＢ２ｄｂとを備えるので、辞書サーバ５０に大容量の辞書データを保持することが可能となるとともに、最新の辞書データへの更新が容易となる。また、電子辞書装置２０ａ〜２０ｃでは辞書データを保持する必要がないため、電子辞書装置２０ａ〜２０ｃにおいて必要とされる記憶容量を大幅に削減することができる。さらに、電子辞書装置２０ａ〜２０ｃにおいて、見出し語の意味データや例文データ等のデータ管理及びデータ検索に対する負担が軽減されることから、電子辞書装置２０ａ〜２０ｃとして、極めて簡単な構成の装置で実現することが可能となる。
【００５５】
また、電子辞書装置２０ａ〜２０ｃで表示した文章や、検索結果として表示した例文から検索語を指定することができ、辞書検索が効率的になる。
【００５６】
さらに、電子辞書装置２０ａ〜２０ｃにおいて、文章中から検索語が指定された場合は、指定された検索語を含む文データを抽出し、抽出した文データを新たな例文データとして例文ＤＢ２ｄｂに記憶させるので、使用頻度が高い例文や、実際の文章で用いられているような生の例文、最新の用法などを折り込んだ例文などのものを例文ＤＢ２ｄｂに追加していくことができ、電子辞書装置２０ａ〜２０ｃの実用性が向上する。
【００５７】
なお、本第２の実施の形態における記述内容は、本発明の電子辞書装置を適用した好適な一例であり、これに限定されるものではない。
【００５８】
上述した説明では、辞書サーバ５０に、辞書ＤＢ１ｄｂ、例文ＤＢ２ｄｂを備えることとしたが、辞書ＤＢ１ｄｂは電子辞書装置２０ａが備え、例文ＤＢ１ｄｂは辞書サーバ５０が備える構成としてもよい。この構成の場合、サーバとの通信処理が不要となるため、電子辞書装置２０ａ〜２０ｃにおいて、簡単な見出し語検索や、使用頻度の高い見出し語の検索を迅速に行うことが可能となる。
【００５９】
【発明の効果】
請求項１に記載の発明によれば、辞書データベースとは別に、見出し語の例文データを記憶する例文記憶手段を備えるので、各見出し語の例文データを共通化して、辞書データ量を削減することができる。
【図面の簡単な説明】
【図１】本発明を適用した第１の実施の形態の電子辞書装置１０の機能的構成を示すブロック図である。
【図２】図１の記憶装置１５が備える辞書ＤＢ１ｄｂのデータ構成例を示す図である。
【図３】図１の記憶装置１５が備える例文ＤＢ２ｄｂのデータ構成例を示す図である。
【図４】図１のＣＰＵ１１により実行される第１の検索処理を説明するフローチャートである。
【図５】第１の検索処理で表示装置１３に表示される検索語の入力画面１３１を示す図である。
【図６】表示装置１３に表示される検索結果画面１３２を示す図である。
【図７】表示装置１３に表示される検索結果画面１３３を示す図である。
【図８】第２の実施の形態における辞書検索システム１００の全体構成を示す図である。
【図９】図８の電子辞書装置２０ａの機能的構成を示すブロック図である。
【図１０】電子辞書装置２０ａのＣＰＵ２１と、辞書サーバ５０との間で実行される第２の検索処理を説明するフローチャートである。
【図１１】表示装置１３に表示される文章画面１３４を示す図である。
【図１２】従来の辞書ＤＢのデータ構成例を示す図である。
【符号の説明】
１０    電子辞書装置（第１の実施の形態）
１１    ＣＰＵ
１２    入力装置
１３    表示装置
１４    ＲＡＭ
１５    記憶装置
１ｄｂ    辞書ＤＢ
２ｄｂ    例文ＤＢ
２０ａ〜２０ｃ    電子辞書装置（第２の実施の形態）
２１    ＣＰＵ
２５    記憶装置
２６    通信装置
５０    辞書サーバ
１００    辞書検索システム
【図１】
2004185530.tif 000003
【図２】
2004185530.tif 000004
【図３】
2004185530.tif 000005
【図４】
2004185530.tif 000006
【図５】
2004185530.tif 000007
【図６】
2004185530.tif 000008
【図７】
2004185530.tif 000009
【図８】
2004185530.tif 000010
【図９】
2004185530.tif 000011
【図１０】
2004185530.tif 000012
【図１１】
2004185530.tif 000013
【図１２】
2004185530.tif 000014